(57)【要約】      （修正有）【課題】患者にストレスを与えない適切なタイミングでのバッテリ交換を可能とする。【解決手段】Ｘ線画像撮影装置２のコンソール１６は、新たに検査オーダを受け付けたとき等に、無線通信型カセッテ１４で現在使用中のバッテリ２６の残量で賄える検査オーダを判定する。ある検査オーダの検査が賄えないと判定した場合、コンソール１６は、バッテリ２６の残量で賄えなくなる患者の検査の前にバッテリ２６を交換することを促すメッセージをディスプレイに表示する。【選択図】図１
2011200427.tif 000002
【特許請求の範囲】
【請求項１】
無線通信型カセッテで現在使用中のバッテリの残量を検出する第一残量検出手段と、
無線通信型カセッテを使用する検査オーダに基づいて、各患者の検査に必要な消費電力量を算出する消費電力量算出手段と、
前記第一残量検出手段で検出した残量、および前記消費電力量算出手段で算出した消費電力量を元に、受付済みの各検査オーダの検査が完了した時点でのバッテリの残量をそれぞれ算出する残量算出手段と、
前記残量算出手段で算出した残量から、前記第一残量検出手段で検出した残量で賄える検査オーダを判定する第一判定手段と、
前記第一判定手段による判定結果に基づいて、少なくとも前記第一残量検出手段で検出した残量で賄えなくなる患者の検査の一つ前の検査の終了前までに、バッテリの交換時期を表示する第一表示手段とを備えることを特徴とする無線通信型カセッテのバッテリ管理装置。
【請求項２】
前記第一残量検出手段、前記消費電力量算出手段、前記残量算出手段、および前記第一判定手段は、検査オーダが更新されたときに動作することを特徴とする請求項１に記載の無線通信型カセッテのバッテリ管理装置。
【請求項３】
前記第一残量検出手段、前記消費電力量算出手段、前記残量算出手段、および前記第一判定手段は、各患者の検査終了毎に動作することを特徴とする請求項１または２に記載の無線通信型カセッテのバッテリ管理装置。
【請求項４】
前記第一残量検出手段、前記消費電力量算出手段、前記残量算出手段、および前記第一判定手段は、バッテリが交換されたときに動作することを特徴とする請求項１ないし３のいずれか一項に記載の無線通信型カセッテのバッテリ管理装置。
【請求項５】
前記残量算出手段は、前記第一残量検出手段で検出した残量から、前記消費電力量算出手段で算出した各患者の検査に必要な消費電力量の積算値を減算して各検査オーダの検査が完了した時点でのバッテリの残量を算出し、
前記第一判定手段は、前記残量算出手段で算出した残量とバッテリの使用限界である残量の閾値とを比較し、閾値よりも前記残量算出手段で算出した残量のほうが小さい場合、前記第一残量検出手段で検出した残量でその検査オーダの検査が賄えないと判定することを特徴とする請求項１ないし４のいずれか一項に記載の無線通信型カセッテのバッテリ管理装置。
【請求項６】
前記消費電力量算出手段は、再撮影に要する消費電力量、無線通信型カセッテの待機状態での消費電力量、無線通信型カセッテの機種、またはバッテリの使用状況の少なくともいずれか一つに基づいて消費電力量を算出することを特徴とする請求項１ないし５のいずれか一項に記載の無線通信型カセッテのバッテリ管理装置。
【請求項７】
無線通信型カセッテで現在使用中のバッテリとは別の予備バッテリの残量を検出する第二残量検出手段と、
前記第二残量検出手段で検出した予備バッテリの残量、および前記消費電力量算出手段で算出した消費電力量を元に、無線通信型カセッテで現在使用中のバッテリを予備バッテリに交換可能であるか否かを判定する第二判定手段と、
前記第二判定手段による判定結果に基づいて、少なくとも前記第一残量検出手段で検出した残量で賄えなくなる患者の検査の一つ前の検査の終了前までに、交換可能な予備バッテリの情報を表示する第二表示手段とを備えることを特徴とする請求項１ないし６のいずれか一項に記載の無線通信型カセッテのバッテリ管理装置。
【請求項８】
前記第二判定手段は、前記第二残量検出手段で検出した予備バッテリの残量が、前記消費電力量算出手段で算出した各患者の検査に必要な消費電力量の積算値とバッテリの使用限界である閾値との加算値以上となったときに、現在使用中のバッテリを予備バッテリに交換可能であると判定し、
前記第二表示手段は、前記第二判定手段で現在使用中のバッテリを予備バッテリに交換可能であると判定したときに、交換可能な予備バッテリの情報を表示することを特徴とする請求項７に記載の無線通信型カセッテのバッテリ管理装置。
【請求項９】
前記第二判定手段は、前記第二残量検出手段で検出した残量が、無線通信型カセッテで現在使用中のバッテリの残量で賄えなくなる患者の検査の消費電力量とバッテリの使用限界である閾値との加算値と略一致する予備バッテリを交換可能な予備バッテリと判定することを特徴とする請求項７または８に記載の無線通信型カセッテのバッテリ管理装置。
【請求項１０】
前記第二判定手段は、バッテリの使用状況に基づいて交換可能な予備バッテリを判定することを特徴とする請求項７ないし９のいずれか一項に記載の無線通信型カセッテのバッテリ管理装置。
【請求項１１】
前記第二表示手段は、患者毎の検査終了直後に交換可能な予備バッテリの情報を表示することを特徴とする請求項７ないし１０のいずれか一項に記載の無線通信型カセッテのバッテリ管理装置。
【請求項１２】
前記残量算出手段は、前記第二判定手段で交換可能であると判定した予備バッテリの、各検査オーダの検査が完了した時点での残量を算出し、
前記第一判定手段は、前記第二判定手段で交換可能であると判定した予備バッテリの残量で賄える検査オーダを判定し、
前記第一判定手段による判定結果に基づいて、少なくとも前記第二判定手段で交換可能であると判定した予備バッテリの残量で賄えなくなる患者の検査の一つ前の検査の終了前までに、前記第二判定手段で交換可能であると判定した予備バッテリの交換時期を表示する第三表示手段を備えることを特徴とする請求項７ないし１１のいずれか一項に記載の無線通信型カセッテのバッテリ管理装置。
【請求項１３】
交換可能な予備バッテリがない場合、無線通信型カセッテの有線通信への切り替えを促す表示をする第四表示手段を備えることを特徴とする請求項７ないし１２のいずれか一項に記載の無線通信型カセッテのバッテリ管理装置。
【請求項１４】
バッテリは、無線通信型カセッテから取り外して充電器で充電可能であることを特徴とする請求項１ないし１３のいずれか一項に記載の無線通信型カセッテのバッテリ管理装置。
【請求項１５】
無線通信型カセッテで現在使用中のバッテリの残量を検出する残量検出ステップと、
無線通信型カセッテを使用する検査オーダに基づいて、各患者の検査に必要な消費電力量を算出する消費電力量算出ステップと、
前記残量検出ステップで検出した残量、および前記消費電力量算出ステップで算出した消費電力量を元に、受付済みの各検査オーダの検査が完了した時点でのバッテリの残量をそれぞれ算出する残量算出ステップと、
前記残量算出ステップで算出した残量から、前記残量検出ステップで検出した残量で賄える検査オーダを判定する判定ステップと、
前記判定ステップにおける判定結果に基づいて、少なくとも前記残量検出ステップで検出した残量で賄えなくなる患者の検査の一つ前の検査の終了前までに、バッテリの交換時期を表示する表示ステップとを備えることを特徴とする無線通信型カセッテのバッテリ管理方法。
【請求項１６】
バッテリで電力供給を賄う無線通信型カセッテと、
前記無線通信型カセッテのバッテリを管理するバッテリ管理装置とを備え、
前記バッテリ管理装置は、前記無線通信型カセッテで現在使用中のバッテリの残量を検出する残量検出手段と、
前記無線通信型カセッテを使用する検査オーダに基づいて、各患者の検査に必要な消費電力量を算出する消費電力量算出手段と、
前記残量検出手段で検出した残量、および前記消費電力量算出手段で算出した消費電力量を元に、受付済みの各検査オーダの検査が完了した時点でのバッテリの残量を算出する残量算出手段と、
前記残量算出手段で算出した残量から、前記残量検出手段で検出した残量で賄える検査オーダを判定する判定手段と、
前記判定手段による判定結果に基づいて、少なくとも前記残量検出手段で検出した残量で賄えなくなる患者の検査の一つ前の検査の終了前までに、バッテリの交換時期を表示する表示手段とを有することを特徴とする無線通信型カセッテのバッテリ管理システム。
【発明の詳細な説明】
【技術分野】
【０００１】
本発明は、放射線画像撮影装置で使用される無線通信型カセッテの電力供給を賄うバッテリの管理装置およびシステム、並びに方法に関する。
【背景技術】
【０００２】
従来、医療分野において、Ｘ線等の放射線を被検体（患者）に照射し、被検体を透過した放射線を受像して被検体の内部構造を画像化する放射線画像撮影装置が利用されている。放射線の受像には感光フイルムが用いられていたが、イメージングプレートやフラットパネルディテクタ等の放射線検出器の登場によりデジタル画像を手軽に得ることが可能となった。最近では放射線画像撮影装置の操作性を高めるため、放射線検出器を内蔵したカセッテに無線通信機能を設けるといった提案がなされている（特許文献１参照）。
【０００３】
特許文献１には、無線通信型カセッテのバッテリ充電・交換器が開示されている。患者一人当たりの撮影情報（撮影枚数）を元に、撮影に必要とされる消費電力量を算出し、算出した消費電力量とバッテリ残量とを比較している。そして、バッテリ残量が算出した消費電力量以下である場合は、算出した消費電力量よりもバッテリ残量が大きいバッテリに交換する。また、バッテリの充電回数等の劣化度を管理し、使用頻度が低いものを優先的に交換することで、複数のバッテリの劣化度を平準化することも記載されている。
【０００４】
無線通信型カセッテではないが、装置一式を可搬にして回診による撮影を可能とする移動型Ｘ線画像撮影装置が提案されている（特許文献２参照）。特許文献２には、移動型Ｘ線画像撮影装置全体の電力を賄うバッテリが記載されている。放射線科情報システム（ＲＩＳ）から取り込んだ検査オーダを元に消費電力量を算出し、これをバッテリ残量と比較して撮影可能か否かを表示している。
【先行技術文献】
【特許文献】
【０００５】
【特許文献１】特開２００６−０４３１９１号公報
【特許文献２】特開２００６−１５８５０８号公報
【発明の概要】
【発明が解決しようとする課題】
【０００６】
検査オーダは、診療科の医師により医事情報システム（ＨＩＳ）の端末を介して入力され、ＨＩＳからＲＩＳ、さらには放射線画像撮影装置のコンソールに配信される。放射線技師は、この検査オーダをリスト化したワークリスト画面をコンソールのディスプレイに表示して、検査オーダの内容を確認しつつ検査を遂行する。
【０００７】
新たに検査オーダが追加された場合はワークリストが更新されるので、ワークリストの内容は固定ではなく、時々刻々と変化する。このため、全検査オーダを実施するに要する消費電力量も検査オーダを追加する度に増え、逆に検査オーダがキャンセルされると減る。特許文献１、２はこの点を考慮しておらず、検査オーダが追加される前は撮影のための電力を賄えると判定したバッテリが、追加した検査オーダの実施中にバッテリ残量不足となる可能性がある。検査中にバッテリ残量不足となると、放射線技師がバッテリを交換している間、患者は脱衣状態で待っていなければならず、患者に不安感や不快感を与える。
【０００８】
特に無線通信型カセッテのバッテリは、カセッテの薄型化、軽量化の観点から、小型で小容量のものが使用される。このためバッテリを比較的頻繁に交換する必要があり、患者にストレスを与えない適切なタイミングでバッテリを交換したいという要望があった。
【０００９】
本発明は、上記背景を鑑みてなされたものであり、その目的は、患者にストレスを与えない適切なタイミングでのバッテリ交換を可能とすることにある。
【課題を解決するための手段】
【００１０】
上記目的を達成するために、本発明の無線通信型カセッテのバッテリ管理装置は、無線通信型カセッテで現在使用中のバッテリの残量を検出する第一残量検出手段と、無線通信型カセッテを使用する検査オーダに基づいて、各患者の検査に必要な消費電力量を算出する消費電力量算出手段と、前記第一残量検出手段で検出した残量、および前記消費電力量算出手段で算出した消費電力量を元に、受付済みの各検査オーダの検査が完了した時点でのバッテリの残量をそれぞれ算出する残量算出手段と、前記残量算出手段で算出した残量から、前記第一残量検出手段で検出した残量で賄える検査オーダを判定する第一判定手段と、前記第一判定手段による判定結果に基づいて、少なくとも前記第一残量検出手段で検出した残量で賄えなくなる患者の検査の一つ前の検査の終了前までに、バッテリの交換時期を表示する第一表示手段とを備えることを特徴とする。
【００１１】
前記第一残量検出手段、前記消費電力量算出手段、前記残量算出手段、および前記第一判定手段は、検査オーダが更新されたときに動作する。なお、「検査オーダが更新されたとき」とは、新たに検査オーダが追加されたとき、検査オーダがキャンセルされたときを含む。
【００１２】
また、前記第一残量検出手段、前記消費電力量算出手段、前記残量算出手段、および前記第一判定手段は、各患者の検査終了毎、あるいはバッテリが交換されたときに動作する。
【００１３】
前記残量算出手段は、前記第一残量検出手段で検出した残量から、前記消費電力量算出手段で算出した各患者の検査に必要な消費電力量の積算値を減算して各検査オーダの検査が完了した時点でのバッテリの残量を算出する。前記第一判定手段は、前記残量算出手段で算出した残量とバッテリの使用限界である残量の閾値とを比較し、閾値よりも前記残量算出手段で算出した残量のほうが小さい場合、前記第一残量検出手段で検出した残量でその検査オーダの検査が賄えないと判定する。
【００１４】
好ましい実施形態では、前記消費電力量算出手段は、再撮影に要する消費電力量、無線通信型カセッテの待機状態での消費電力量、無線通信型カセッテの機種、またはバッテリの使用状況の少なくともいずれか一つに基づいて消費電力量を算出する。無線通信型カセッテの機種の情報としては、例えば内蔵される放射線検出器の大きさ、種類等が挙げられる。バッテリの使用状況の情報としては、充電回数、使用時間、充電時間、使用開始日等が挙げられる。
【００１５】
無線通信型カセッテで現在使用中のバッテリとは別の予備バッテリの残量を検出する第二残量検出手段を備えることが好ましい。前記第二残量検出手段で検出した予備バッテリの残量、および前記消費電力量算出手段で算出した消費電力量を元に、無線通信型カセッテで現在使用中のバッテリを予備バッテリに交換可能であるか否かを判定する第二判定手段を備えることが好ましい。また、前記第二判定手段による判定結果に基づいて、少なくとも前記第一残量検出手段で検出した残量で賄えなくなる患者の検査の一つ前の検査の終了前までに、交換可能な予備バッテリの情報を表示する第二表示手段を備えることが好ましい。
【００１６】
前記第二判定手段は、前記第二残量検出手段で検出した予備バッテリの残量が、前記消費電力量算出手段で算出した各患者の検査に必要な消費電力量の積算値とバッテリの使用限界である閾値との加算値以上となったときに、現在使用中のバッテリを予備バッテリに交換可能であると判定する。前記第二表示手段は、前記第二判定手段で上記の如く判定したときに、交換可能な予備バッテリの情報を表示する。
【００１７】
前記第二判定手段は、前記第二残量検出手段で検出した残量が、無線通信型カセッテで現在使用中のバッテリの残量で賄えなくなる患者の検査の消費電力量とバッテリの使用限界である閾値との加算値と略一致する予備バッテリを交換可能な予備バッテリと判定する。
【００１８】
また、前記第二判定手段は、バッテリの使用状況に基づいて交換可能な予備バッテリを選択する。バッテリの使用状況の情報としては、充電回数、使用時間、充電時間、使用開始日等が挙げられる。
【００１９】
前記第二表示手段は、患者毎の検査終了直後に交換可能な予備バッテリの情報を表示する。
【００２０】
前記残量算出手段は、前記第二判定手段で交換可能であると判定した予備バッテリの、各検査オーダの検査が完了した時点での残量を算出し、前記第一判定手段は、前記第二判定手段で交換可能であると判定した予備バッテリの残量で賄える検査オーダを判定する。そして、前記第一判定手段による判定結果に基づいて、少なくとも前記第二判定手段で交換可能であると判定した予備バッテリの残量で賄えなくなる患者の検査の一つ前の検査の終了前までに、前記第二判定手段で交換可能であると判定した予備バッテリの交換時期を第三表示手段で表示する。
【００２１】
交換可能な予備バッテリがない場合、無線通信型カセッテの有線通信への切り替えを促す表示をする第四表示手段を備えることが好ましい。
【００２２】
バッテリは、無線通信型カセッテから取り外して充電器で充電可能である。
【００２３】
本発明の無線通信型カセッテのバッテリ管理方法は、無線通信型カセッテで現在使用中のバッテリの残量を検出する残量検出ステップと、無線通信型カセッテを使用する検査オーダに基づいて、各患者の検査に必要な消費電力量を算出する消費電力量算出ステップと、前記残量検出ステップで検出した残量、および前記消費電力量算出ステップで算出した消費電力量を元に、受付済みの各検査オーダの検査が完了した時点でのバッテリの残量をそれぞれ算出する残量算出ステップと、前記残量算出ステップで算出した残量から、前記残量検出ステップで検出した残量で賄える検査オーダを判定する判定ステップと、前記判定ステップにおける判定結果に基づいて、少なくとも前記残量検出ステップで検出した残量で賄えなくなる患者の検査の一つ前の検査の終了前までに、バッテリの交換時期を表示する表示ステップとを備えることを特徴とする。
【００２４】
本発明の無線通信型カセッテのバッテリ管理システムは、バッテリで電力供給を賄う無線通信型カセッテと、前記無線通信型カセッテのバッテリを管理するバッテリ管理装置とを備え、前記バッテリ管理装置は、前記無線通信型カセッテで現在使用中のバッテリの残量を検出する残量検出手段と、前記無線通信型カセッテを使用する検査オーダに基づいて、各患者の検査に必要な消費電力量を算出する消費電力量算出手段と、前記残量検出手段で検出した残量、および前記消費電力量算出手段で算出した消費電力量を元に、受付済みの各検査オーダの検査が完了した時点でのバッテリの残量を算出する残量算出手段と、前記残量算出手段で算出した残量から、前記残量検出手段で検出した残量で賄える検査オーダを判定する判定手段と、前記判定手段による判定結果に基づいて、少なくとも前記残量検出手段で検出した残量で賄えなくなる患者の検査の一つ前の検査の終了前までに、バッテリの交換時期を表示する表示手段とを有することを特徴とする。
【発明の効果】
【００２５】
本発明によれば、無線通信型カセッテで現在使用中のバッテリの残量で賄える検査オーダを判定し、賄えないと判定した場合にバッテリの交換時期を表示するので、患者にストレスを与えない適切なタイミングでのバッテリ交換が可能となる。
【図面の簡単な説明】
【００２６】
【図１】病院内に設置される装置、システムの概略図である。
【図２】検査オーダの送信の流れ、およびオーダリストの内容を示す図である。
【図３】無線通信型カセッテの構成を示す斜視図である。
【図４】Ｘ線画像撮影装置の電気的構成を示すブロック図である。
【図５】Ｘ線画像撮影装置のコンソールのＣＰＵに構築される機能部を示すブロック図である。
【図６】各患者の検査が完了した時点でのバッテリ残量の推移を示すグラフである。
【図７】バッテリの交換時期の表示の一例を示す図である。
【図８】バッテリの交換時期を表示するまでの処理の流れを示すフローチャートである。
【図９】充電中のバッテリを含む複数のバッテリの使用状況を管理する例を示す図である。
【図１０】バッテリの交換時期および交換可能バッテリの表示の一例を示す図である。
【図１１】交換可能バッテリの表示の別の例を示す図である。
【図１２】無線通信から有線通信への切り替えを促す表示の一例を示す図である。
【発明を実施するための形態】
【００２７】
［第一実施形態］
図１において、Ｘ線画像撮影装置２は、医事情報システム（ＨＩＳ；Hospital Information System）１０で電子カルテや検査予約等の医事情報が統括的に管理される病院の放射線科の撮影室に設置される。Ｘ線画像撮影装置２を含むＣＴ、ＭＲＩ等の放射線科の撮影装置は、放射線科情報システム（ＲＩＳ；Radiology Information System）１１の元で稼働し、検査オーダ２０（図２参照）やＸ線画像その他の情報が管理される。これら各装置およびシステムは、病院内に敷設されたＬＡＮ１２で相互接続されている。
【００２８】
図２に示すように、診療科の医師は、ＨＩＳ１０の端末を介して検査予約のための検査オーダ２０を発行する。ＨＩＳ１０は、放射線科宛ての検査オーダ２０をＲＩＳ１１に回送する。さらにＲＩＳ１１は、ＨＩＳ１０から受信した検査オーダ２０を、ＬＡＮ１２で接続されたＸ線画像撮影装置２および他の撮影装置のコンソール１６に振り分けて配信する。
【００２９】
Ｘ線画像撮影装置２のコンソール１６は、ＨＩＳ１０から配信された検査オーダ２０のオーダリスト２１を作成する。Ｘ線画像撮影装置２のコンソール１６は、作成したオーダリスト２１をストレージデバイス６２（図４参照）に記憶するとともに、要求に応じてオーダリスト２１をディスプレイ６４（図４参照）に表示させる（図７参照）。
【００３０】
検査オーダ２０には、検査対象の患者のＩＤ、患者名、オーダ番号、「肩」、「膝正面、側面」等の撮影部位、検査の進行状況を表すステータス、および診療科の医師からの申し渡し等が記入される特記事項といった項目が設けられている。検査オーダ２０は、患者一人に対して一つのものもあれば、患者一人に対して複数同時に発行されるものもある。なお、図示はしていないが、検査オーダ２０には検査する装置を指定する検査種の項目も設けられている。ＨＩＳ１０およびＲＩＳ１１は、検査種の項目を参照して該当する科および装置に検査オーダ２０を振り分ける。
【００３１】
図１に戻って、Ｘ線画像撮影装置２は、Ｘ線を照射するＸ線源１３と、Ｘ線源１３から照射され被検体Ｈを透過したＸ線を検出して画像データを出力する無線通信型のカセッテ１４と、Ｘ線源１３とカセッテ１４の撮影動作を制御する撮影制御装置１５と、撮影制御装置１５に対して撮影指示の入力や撮影条件（Ｘ線源１３のＸ線管４２（図４参照）の管電圧、管電流、曝射時間等）の設定を行うコンソール１６とからなる。
【００３２】
撮影制御装置１５は、コンソール１６から受信した撮影条件や撮影指示に基づいて、Ｘ線源１３およびカセッテ１４にそれぞれの動作タイミングが同期するように動作司令を与える。カセッテ１４から電波にて出力された画像データは、撮影制御装置１５を経由してコンソール１６に入力される。コンソール１６は、パーソナルコンピュータやワークステーションからなり、受信した画像データに対して画像処理を施す他、画像データをディスプレイ６４に表示させたり、画像蓄積サーバ等のデータストレージデバイスにアップロードする。
【００３３】
Ｘ線源１３は、撮影制御装置１５に有線接続され、撮影制御装置１５から電力が供給される。Ｘ線源１３は、ドライバ４１（高電圧発生器、図４参照）からの高電圧によりＸ線を発生するＸ線管４２、およびＸ線管４２が発生したＸ線の照射野を矩形状に規制するコリメータ（図示せず）を有する。Ｘ線源１３は、例えば天井走行装置によって撮影室の天井から吊り下げられ、鉛直方向およびこれと直交する水平の二方向に移動自在である。また、Ｘ線源１３は図示しない回動機構により水平軸回りに首振り自在である。被検体Ｈの身長や撮影部位に応じて、Ｘ線源１３の位置調整を行うことが可能となっている。
【００３４】
カセッテ１４は略矩形の形状を有し、通常はケーブルレスで使用される。カセッテ１４は、例えば被検体Ｈが仰臥するベッドの下に設置されたり、肩や膝等の撮影部位に応じた位置に位置決めされる。
【００３５】
図３において、カセッテ１４はＸ線検出部２５を内蔵している。Ｘ線検出部２５は、例えば、薄膜トランジスタ（ＴＦＴ）とＸ線検出素子からなる複数の画素が２次元に配列されたマトリクス基板を有するフラットパネルディテクタ（ＦＰＤ）である。Ｘ線検出部２５は、ＴＦＴがオフのときに入射したＸ線の量に応じた電荷をＸ線検出素子で蓄積する。そして、ＴＦＴをオンしてＸ線検出素子に蓄積した電荷を外部に読み出す。読み出した電荷を信号処理部５２（図４参照）の積分アンプで電圧信号に変換し、変換した電圧信号を信号処理部５２のＡ／Ｄ変換器でＡ／Ｄ変換することで、デジタルな画像データが生成される。
【００３６】
カセッテ１４には、Ｘ線検出部２５とともにバッテリ２６、およびアンテナ２７が内蔵されている。バッテリ２６は、カセッテ１４の各部を動作させるための電力を供給する。バッテリ２６は、薄型のカセッテ１４内に収まるよう比較的小型のものが使用される。バッテリ２６は、カセッテ１４の一側面に設けられた蓋２８を開けて外部に取り出すことができ、図１のクレードル１７に装填して充電することが可能である。アンテナ２７は、無線通信のための電波を撮影制御装置１５との間で送受信する。
【００３７】
カセッテ１４の一側面には、電源スイッチ２９、ソケット３０、およびインジケータ３１が配されている。ソケット３０は撮影制御装置１５と有線接続するために設けられており、ソケット３０には撮影制御装置１５に繋がれた通信ケーブル（図示せず）のコネクタが差し込まれる。通信ケーブルは、バッテリ２６の残量不足等でカセッテ１４と撮影制御装置１５との無線通信が不可能になった場合に使用される。通信ケーブルを使用した場合、撮影制御装置１５との有線通信が可能になるとともに撮影制御装置１５からカセッテ１４に給電することが可能となる。インジケータ３１は例えば多色のＬＥＤからなり、カセッテ１４の電源のオン／オフ、バッテリ２６の残量、無線通信状況等を表示する。
【００３８】
図４において、Ｘ線源制御部４０は、Ｘ線源１３の各部の動作を統括的に制御する。Ｘ線源制御部４０は、ドライバ４１を介してＸ線管４２の動作を制御し、撮影制御装置１５から指定された撮影条件および動作タイミングにてＸ線管４２を動作させる。また、Ｘ線源制御部４０には通信制御部４３が接続されており、通信制御部４３はソケット４４で受信した撮影制御装置１５からの各種情報、信号をＸ線源制御部４０に入力する。
【００３９】
カセッテ制御部５０は、カセッテ１４の各部の動作を統括的に制御する。カセッテ制御部５０は、ドライバ５１を介してＸ線検出部２５の動作を制御し、撮影制御装置１５から指定された動作タイミングにてＸ線検出部２５を動作させる。また、カセッテ制御部５０は、積分アンプやＡ／Ｄ変換器を有する信号処理部５２から画像データを受け取る。
【００４０】
通信制御部５３には、上述のアンテナ２７およびソケット３０が接続されている。通信制御部５３は、アンテナ２７またはソケット３０とカセッテ制御部５０間の画像データを含む各種情報、信号の送受信を媒介する。なお、ソケット３０を使用して撮影制御装置１５と通信ケーブルで接続した場合を点線の矢印で示す。
【００４１】
電力供給部５４は、バッテリ２６からの電力、またはソケット３０を介した撮影制御装置１５からの電力を、カセッテ制御部５０を介してカセッテ１４の各部に供給する。電力供給部５４には残量検出部５５が接続されている。残量検出部５５は、電力供給部５４の出力を元にバッテリ２６の残量を検出する。
【００４２】
具体的には、残量検出部５５は、バッテリ２６の放電電圧を測定してこれをＡ／Ｄ変換してデジタル化し、カセッテ制御部５０に出力する。カセッテ制御部５０は、コンソール１６の要求に応じて、残量検出部５５の検出結果であるバッテリ残量Ｒ（図５参照）を、通信制御部５３、アンテナ２７またはコネクタ３０、および撮影制御装置１５を通してコンソール１６に送信する。
【００４３】
コンソール１６は、ＣＰＵ６０、メモリ６１、ストレージデバイス６２、通信インターフェース（Ｉ／Ｆ）６３、ディスプレイ６４、およびキーボードやマウス、マイクロホン等の入力デバイス６５を備えている。これらはデータバス６６を介して相互接続されている。
【００４４】
メモリ６１は、ＣＰＵ６０が処理を実行するためのワークメモリである。ストレージデバイス６２は、例えばハードディスクドライブである。ストレージデバイス６２には、ＯＳや各種アプリケーションプログラムが格納される。ＣＰＵ６０は、ストレージデバイス６２に格納されたプログラムをメモリ６１へロードして、プログラムに従った処理を実行することにより、コンソール１６の各部を制御する。また、ＣＰＵ６０は、入力デバイス６５からの操作入力信号に応じて、コンソール１６の各部を動作させる。
【００４５】
通信Ｉ／Ｆ６３は、ＬＡＮポート、ＷＡＮポート、ルータ等であり、ＬＡＮ１３、あるいはインターネットといったネットワークに接続する通信ケーブルが接続される。通信Ｉ／Ｆ６３は、ネットワーク経由のデータの遣り取りを媒介する。ディスプレイ６４は、撮影指示、撮影条件を入力するための各種操作画面やワークリスト確認ウィンドウ８０（図７参照）等を表示する。
【００４６】
コンソール１６のＣＰＵ６０は、ストレージデバイス６２からプログラムをロードして、プログラムに記述された処理ステップを実行する。これにより、コンソール１６のＣＰＵ６０には、図５に示す各部がそれぞれ構築される。
【００４７】
図５において、コンソール１６のＣＰＵ６０は、消費電力量算出部７０、残量算出部７１、および判定部７２として機能する。消費電力量算出部７０は、オーダリスト２１を参照して患者一人当たりの検査（撮影）でカセッテ１４にて消費する電力量ｐを算出し、これを残量算出部７１に出力する。消費電力量算出部７０は、ＲＩＳ１１から患者一人分の検査オーダ２０が追加されてオーダリスト２１が更新された際に上記算出を行う。
【００４８】
患者一人当たりのカセッテ１４の消費電力量ｐは、Ｘ線画像の撮影枚数の多寡に左右される。当然ながら撮影枚数が多ければ消費電力量ｐは大きくなり、それだけバッテリ２６の残量が減る。Ｘ線画像の撮影枚数は撮影部位によってある程度決められている。このため、撮影部位と消費電力量ｐ（または撮影枚数）の関係を表すデータテーブル７３を予めストレージデバイス６２に記憶しておき、このデータテーブル７３に検査オーダ２０内の撮影部位の項目を照らせば、患者一人当たりのカセッテ１４の消費電力量ｐを求めることができる。
【００４９】
残量算出部７１は、消費電力量算出部７０からの各患者の消費電力量ｐを積算し、その時点に受け付けた全検査オーダ２０の実施に要するカセッテ１４の消費電力量Ｐ（＝Σｐ）を算出する。残量算出部７１は、この消費電力量Ｐと、カセッテ１４の残量検出部５５からのバッテリ残量Ｒとの差分Δ（＝Ｒ−Ｐ）を算出する。差分Δは、全検査オーダ２０を実施した場合に残るであろうバッテリ残量Ｒの予測値である。残量算出部７１は、算出した差分Δを判定部７２に出力する。
【００５０】
判定部７２は、残量算出部７１からの差分Δとバッテリ残量の閾値Ｔの大小を比較する。閾値Ｔは、バッテリ２６が使用限界となる値であり、ストレージデバイス６２に予め記憶されている。閾値Ｔは、バッテリ２６の実際の使用限界の少し手前の値が設定されている。判定部７２は、差分Δが閾値Ｔ以上の場合（Δ≧Ｔ）、現在のバッテリ残量Ｒで全検査オーダ２０の検査を賄えると判定する。一方、閾値Ｔよりも差分Δのほうが小さい場合（Δ＜Ｔ）、現在のバッテリ残量Ｒで全検査オーダ２０の検査を賄えないと判定する。
【００５１】
図６を参照して具体例を説明する。グラフの縦軸はバッテリ残量、横軸は患者数を示す。バッテリ残量は、消費電力量算出部７０の算出結果より、患者１、２、・・・と検査を実施するに従い、現在のバッテリ残量Ｒから折れ線Ｌで示すように下降すると予測される。
【００５２】
今、患者１〜４の検査オーダ２０が受け付けられていて、新たに患者５の検査オーダ２０が追加されたとする。なお、厳密に言えば、患者４の検査オーダ２０の追加と患者５の検査オーダ２０の追加とに時間的な開きがあり、その間にバッテリ２６の電力が消費された場合、バッテリ残量Ｒはそれぞれの検査オーダ２０の追加時で異なる値となるが、便宜上同一として説明する。
【００５３】
患者５の検査オーダ２０が追加される前は、各患者１〜４のカセッテ１４の消費電力量ｐ１〜ｐ４を積算したＰ１〜４とバッテリ残量Ｒの差分Δ１〜４は、閾値Ｔ以上である。このため患者５の検査オーダ２０が追加される前は、現在のバッテリ残量Ｒで全検査オーダ２０の検査を賄えると判定部７２で判定される。
【００５４】
一方、患者５の検査オーダ２０が追加されると、消費電力量算出部７０にて患者５の検査を実施するに要するカセッテ１４の消費電力量ｐ５が算出される。このとき、消費電力量ｐ１〜ｐ５を積算したＰ１〜５とバッテリ残量Ｒの差分Δ１〜５は、閾値Ｔよりも小さくなる。つまり、もしもこのまま患者４の検査に続いて患者５の検査を実施した場合、検査途中にバッテリ残量が足りなくなり、検査を中断せざるを得なくなる。この場合は現在のバッテリ残量Ｒで全検査オーダ２０の検査を賄えないと判定部７２で判定される。
【００５５】
バッテリ残量不足で検査が中断されることを防止するため、コンソール１６は、現在のバッテリ残量Ｒで全検査オーダ２０の検査を賄えないと判定部７２が判定した場合、図７に示すワークリスト確認ウィンドウ８０をディスプレイ６４に表示する。
【００５６】
ワークリスト確認ウィンドウ８０は、リスト表示部８１とメッセージ表示部８２とを有する。リスト表示部８１は、基本的にはオーダリスト２１に準じた内容であり、「検査順」の項目を追加する等して、オーダリスト２１の記憶内容を視認し易い形式に編集したものである。リスト表示部８１は、マウス等の操作でスクロール表示が可能である。
【００５７】
メッセージ表示部８２は、差分Δが閾値Ｔ以上の患者と閾値Ｔよりも差分Δのほうが小さくなる患者の間に配される。すなわち、図６の患者４が「小田原雅子」、患者５が「足柄金太郎」に相当する。メッセージ表示部８２には、例えば「バッテリを交換後、次の検査を行ってください」といったバッテリ交換を促すメッセージが表示される。なお、現在のバッテリ残量Ｒで全検査オーダ２０の検査を賄えると判定部７２が判定している間（図６で患者５の検査オーダ２０が追加される前まで）は、メッセージ表示部８２は表示されずリスト表示部８１のみが表示される。
【００５８】
次に、上記構成を有するＸ線画像撮影装置２の動作手順について、図８のフローチャートを参照して説明する。診療科の医師により入力された患者一人分の検査オーダ２０は、ＨＩＳ１０からＲＩＳ１１、コンソール１６に順次送られる。コンソール１６は、検査オーダ２０を受けてストレージデバイス６２内のオーダリスト２１を更新する（Ｓ１０でＹＥＳ）。
【００５９】
オーダリスト２１の更新を契機に、コンソール１６のＣＰＵ６０は、カセッテ１４にバッテリ残量Ｒの送信を要求し、カセッテ１４からバッテリ残量Ｒの情報を得る。そして、消費電力量算出部７０により患者一人当たりのカセッテ１４の消費電力量ｐを算出する（Ｓ１１）。次に、残量算出部７１にて消費電力量ｐを積算し、その時点に受け付けた全検査オーダ２０の実施に要するカセッテ１４の消費電力量Ｐを算出する（Ｓ１２）。続いて消費電力量Ｐとバッテリ残量Ｒとの差分Δを算出する（Ｓ１３）。
【００６０】
次いで、判定部７２にて差分Δとバッテリ残量の閾値Ｔの大小を比較する（Ｓ１４）。差分Δが閾値Ｔ以上の場合（Ｓ１５でＹＥＳ）、現在のバッテリ残量Ｒで全検査オーダ２０の検査を賄えると判定する。この場合、ワークリスト確認ウィンドウ８０にはリスト表示部８１のみが表示される。
【００６１】
一方、閾値Ｔよりも差分Δのほうが小さい場合（Ｓ１５でＮＯ）、現在のバッテリ残量Ｒで全検査オーダ２０の検査を賄えないと判定する。この場合、ワークリスト確認ウィンドウ８０にはリスト表示部８１とともにメッセージ表示部８２が表示される（Ｓ１６）。放射線科技師は、メッセージ表示部８２の直後にリスト表示される患者の検査前に、メッセージ表示部８２のメッセージに従ってバッテリ２６を交換する。検査途中でバッテリ残量不足となることを避けることができる。また、最新のオーダリスト２１に基づいて判定をするので、的確にバッテリ２６の交換時期を報せることができる。
【００６２】
病院の始業時や昼食休憩後は、複数の患者分の検査オーダ２０がまとめてコンソール１６に届く。こうした場合には、ある患者（図６の場合は患者５）の検査オーダ２０が届いたときに現在のバッテリ残量Ｒで全検査オーダ２０の検査を賄えないと判定される上記実施形態とは異なり、最初の判定で現在のバッテリ残量Ｒで全検査オーダ２０の検査を賄えないと判定されることがある。その場合は、最初にワークリスト確認ウィンドウ８０を開いたときに、上記実施形態と同様にメッセージ表示部８２を表示すればよい。
【００６３】
検査オーダ２０の追加有無に関わらず、バッテリ２６を交換したときにはバッテリ残量Ｒが変わるため再度判定を行う。バッテリ２６の交換を検知する方法としては、例えば蓋２８の開閉操作、あるいはバッテリ２６の挿抜操作をリミットスイッチ等で検知する。そして、バッテリ２６が交換されたことを検知した場合は、カセッテ１４からコンソール１６にその旨を通知し、コンソール１６で再度判定を行う。
【００６４】
患者一人分の検査オーダ２０がキャンセルされた場合は消費電力量Ｐが変わるので、コンソール１６で再度判定を行う。同一患者の複数の検査オーダ２０のうちのいずれか一つがキャンセルされた場合も消費電力量ｐが変化するため同様に再度判定を行う。このようにバッテリ残量Ｒや検査オーダ２０の追加、キャンセルといった時々刻々と変化する種々のファクターに応じて判定を行うことで、現況に即したバッテリの交換時期の表示を行うことができる。
【００６５】
上記実施形態では、受け付け済み全検査オーダ２０の実施に要するカセッテ１４の消費電力量Ｐと、カセッテ１４の残量検出部５５からのバッテリ残量Ｒとの差分Δ（＝Ｒ−Ｐ）を算出して判定を行っているが、実際には、受付済みの各検査オーダの検査が完了した時点での差分δ（図６のΔ１〜４やΔ１〜５）をそれぞれ算出し、該差分δと閾値Ｔの大小を比較して、どの検査オーダで賄えなくなるかを判定している。
【００６６】
上記実施形態では、撮影部位（撮影枚数）を元に患者一人当たりのカセッテの消費電力量ｐを算出している。しかし、撮影が失敗した場合や放射線技師が必要と判断した場合等に再撮影を実施することがあり、実際の撮影枚数が想定している数よりも多くなることも有り得る。こうした場合は算出した消費電力量ｐよりも実際の消費電力量が上回り、算出した消費電力量ｐと実際の消費電力量が乖離するため、その積算値Ｐおよび差分Δも実際の値とは違ってくる。
【００６７】
また、カセッテは、患者の入れ替え時やＸ線画像の撮影の合間といった撮影時以外の待機状態のときも電力を消費するので、撮影枚数だけでは算出した消費電力量ｐと実際の消費電力量に乖離が生じるおそれがある。そこで、消費電力量算出部にて算出した消費電力量ｐに、例えば一枚分の再撮影に要する消費電力量や待機状態での消費電力量を考慮したマージンを加えることが好ましい。なお、消費電力量ｐだけでなく、閾値Ｔも再撮影分や待機状態での消費電力量を加味して設定してもよい。
【００６８】
一枚のＸ線画像の撮影に要する消費電力量は、カセッテの機種（Ｘ線検出部の大きさ、種類等）毎に異なる。また、バッテリは、一般的に充電回数が多くなるに連れて放電電圧が落ち込む時間が早くなる。このため、上記の撮影枚数、再撮影分や待機状態での消費電力量に加えて、カセッテの機種およびバッテリの使用状況を加味して消費電力量ｐを補正してもよい。
【００６９】
具体的には、複数のカセッテおよびバッテリにＥＥＰＲＯＭやＲＦＩＤタグ等を内蔵させ、そこに個々を識別可能なＩＤを記憶させて、機種や使用状況の情報をＲＩＳで管理する（バッテリの使用状況に関しては第二実施形態の図９参照）。ＩＤはカセッテおよびバッテリの製造出荷時に設定してもよいし、病院側で任意に設定してもよい。バッテリの使用状況を表す項目には、充電回数、使用時間、充電時間、使用開始日等が挙げられる。バッテリの使用状況のうちの充電回数および充電時間は、図１に示すようにクレードルをＬＡＮに接続し、クレードルからＲＩＳにこれらの情報を送信すればよい。
【００７０】
そして、カセッテでバッテリのＩＤを読み取り、自身のＩＤとともにコンソールに送信する。コンソールは、カセッテとバッテリのＩＤをＲＩＳに照会し、ＲＩＳからカセッテの機種とバッテリの使用状況の情報を得る。コンソールのストレージデバイス内に、カセッテの機種、バッテリの使用状況に応じた消費電力量ｐの補正値をデータテーブルで記憶しておき、これを元に消費電力量ｐを補正する。このように消費電力量ｐが変動する要因を加味して補正を施せば、より実際の消費電力量に近付けることができ、ひいてはバッテリ残量（差分Δ）の算出精度を向上させることができる。
【００７１】
消費電力量ｐとは別に実際の消費電力量を算出し、この算出値をデータテーブルの消費電力量と置き換えてもよい。例えば、撮影部位が「肩」の場合の実際の消費電力量を算出して複数ストックしておき、その平均値にデータテーブルの消費電力量を書き換える。このようなデータテーブルの消費電力量の更新を繰り返せば、データテーブルの消費電力量が実際の消費電力量を略反映したものになるので、バッテリ残量の算出精度をさらに向上させることができる。
【００７２】
検査オーダ２０が追加されたときだけでなく、患者毎の検査終了後にその都度判定を行ってもよい。算出した消費電力量ｐと実際の消費電力量の差を吸収することができる。また、この際にバッテリ２６の交換時期を表示すれば、次の患者の検査までの空き時間を最大限有効利用することができ、余裕をもってバッテリ２６を交換することが可能となる。
【００７３】
ワークリスト確認ウィンドウは、上記実施形態の如く現在のバッテリ残量Ｒで全検査オーダの検査を賄えないと判定部で判定したまさにそのときに表示してもよいし、患者毎の検査の合間（前回の検査終了後から次回の検査開始前まで）に表示してもよい。要するにバッテリの交換時期前（現在使用中のバッテリで賄えなくなる患者の検査の一つ前の検査の終了前）であればいつでも構わない。
【００７４】
ワークリスト確認ウィンドウの表示と併せて、コンソールに備え付けのスピーカーからチャイム等の音声を出力して、放射線技師に注意喚起してもよい。放射線技師に無線通信型リストバンドを装着させ、リストバンドから音声出力させたり、あるいはリストバンドを振動させて報せてもよい。
【００７５】
ワークリスト確認ウィンドウとは別ウィンドウでメッセージ表示部を表示してもよい。この場合は、例えば「検査順５の検査開始前にバッテリを交換してください」等、バッテリの交換時期を明示したメッセージを表示する。また、コンソールのディスプレイに限らず、カセッテにＬＣＤ等の表示部を設けて、該表示部にメッセージを表示してもよい。
【００７６】
［第二実施形態］
本実施形態は、図９に示すように複数のバッテリ２６のバッテリ情報９０を取得してバッテリ２６の使用状況をＲＩＳ１１で管理し、バッテリ２６の交換時に有用なアシスト処理を行うものである。
【００７７】
図９において、ＲＩＳ１１は、ＬＡＮ１２を介して送信される、クレードル１７に装填されたバッテリ（以下、予備バッテリという）２６やカセッテ１４で使用中のバッテリ２６のバッテリ情報９０を集約してバッテリ情報リスト９１を作成し、これを記憶・管理する。
【００７８】
バッテリ情報９０は、バッテリＩＤ、ステータス、バッテリ残量、充電回数、および使用開始日等の項目を有する。クレードル１７の場合、バッテリ残量は、カセッテ１４の残量検出部５５と同様の残量検出部（図示せず）を設けて検出する。カセッテ１４、クレードル１７からそれぞれＲＩＳ１１に送られるバッテリ情報９０には、個々のカセッテ１４、クレードル１７を識別可能なカセッテＩＤ、クレードルＩＤが付加される。
【００７９】
本例のバッテリ情報リスト９１によれば、バッテリＩＤ「００３」のバッテリ２６がカセッテＩＤ「００２」のカセッテ１４で使用されており、バッテリＩＤ「００１」、「００２」の予備バッテリ２６がそれぞれ、クレードルＩＤ「００５」、「００３」のクレードル１７で充電されて充電が完了した状態であり、バッテリＩＤ「００４」、「００５」の予備バッテリ２６がそれぞれ、クレードルＩＤ「００４」、「００１」のクレードル１７で充電中であることが分かる。
【００８０】
現在使用中のバッテリ残量Ｒで全検査オーダ２０の検査を賄えないと判定部７２で判定した場合、コンソール１６は、バッテリ２６の交換時期（例えば図６の患者４と患者５の検査の合間）に、カセッテ１４で現在使用中のバッテリ２６のバッテリ情報９０や消費電力量ｐの算出結果等とともにその旨をＲＩＳ１１に送信する。ＲＩＳ１１は、バッテリ情報リスト９１を参照して、複数の予備バッテリ２６のうちの交換可能な予備バッテリ２６を選択し、選択した予備バッテリ２６のバッテリ情報９０をコンソール１６に返答する。
【００８１】
コンソール１６は、バッテリ２６の交換時期を報せるメッセージ表示部８２の表示と併せて、交換可能な予備バッテリ２６を表示する。例えば図１０に示すワークリスト確認ウィンドウ９５のメッセージ表示部９６のように、「バッテリを交換後、次の検査を行ってください」というバッテリ交換を促すメッセージに続けて、「交換可能バッテリ：ＩＤ００１」といった交換可能な予備バッテリ２６を示すメッセージを表示する。ワークリスト確認ウィンドウ９５とは別ウィンドウでメッセージ表示部９６を表示してもよい。
【００８２】
交換可能な予備バッテリ２６としては、まず、充電が完了した予備バッテリ２６が考えられる。本例ではバッテリＩＤ「００１」、「００２」の予備バッテリ２６である。あるいは、複数のバッテリ２６の劣化度をばらつかせる（新品のバッテリ２６の劣化を遅くする）ために、充電回数が多い予備バッテリ２６や使用開始日が古い予備バッテリ２６を優先的に選択する。逆に充電回数が少ない予備バッテリ２６や使用開始日が新しい予備バッテリ２６を優先的に選択し、バッテリ２６の劣化度を平準化させてもよい。
【００８３】
実際の運用では、翌日や午後の検査に備えるため、病院の終業時や昼食休憩前にバッテリ残量に関わらず全てのバッテリを充電している。バッテリを使い切らずに充電すると、使い切って充電した場合に比べて充電効率が落ち、バッテリの劣化も早まる。このため、交換可能バッテリの選択に際しては、上記の充電完了か否か、充電回数、使用開始日等の選択基準に代えて、あるいは加えて、病院の終業時や昼食休憩前に使い切れるバッテリか否かを考慮することが好ましい。
【００８４】
つまり、現在使用中のバッテリ残量Ｒで検査を賄えないと判定部７２で判定された患者の検査が病院の終業直前または昼食休憩直前であった場合、充電中の予備バッテリ２６のうち、現在のバッテリ残量Ｒで検査を賄えないと判定部７２で判定された検査の消費電力量ｐ（図６の例ではｐ５）と閾値Ｔとの加算値にバッテリ残量が略一致する予備バッテリ２６を選択する。こうすれば、その患者の検査を、選択した予備バッテリ２６を用いて実施することで、病院の終業時や昼食休憩前にバッテリ２６を使い切ることができる。
【００８５】
上記の説明から分かる通り、交換可能バッテリとして選択する予備バッテリの最低限必要な条件は、バッテリ残量Ｒが、現在使用中のバッテリのバッテリ残量Ｒで検査を賄えないと判定部で判定された検査の消費電力量ｐと閾値Ｔとの加算値以上であることである。
【００８６】
なお、現在使用中のバッテリの交換時期に交換可能バッテリを報せているが、交換時期以前に報せてもよい。患者一人分の検査オーダが追加されてオーダリストが更新されたとき等に、検査オーダの実施に要するカセッテの消費電力量Ｐが算出されるので、その時点でバッテリ残量Ｒが消費電力量Ｐと閾値Ｔの加算値以上のバッテリに交換すれば、その時点に受け付けた全検査オーダを実施することができる。
【００８７】
図６の場合を例にとると、患者５の検査オーダを受け付けた時点で差分Δ１〜５が閾値Ｔよりも小さくなり検査を賄えないと判定されるが、バッテリ残量Ｒが消費電力量Ｐ１〜５と閾値Ｔの加算値以上のバッテリをバッテリ情報リストから検索して直ちにこれに交換すれば、患者５の検査も問題なく実施することができる。
【００８８】
この場合、例えば図１１（Ａ）に示すように、「バッテリＩＤ：００１への交換をお勧めします」といったメッセージが記されたメッセージウィンドウ１００ａを判定時にディスプレイ６４にポップアップ表示する。このようにバッテリの交換時期ではなく直ちに交換可能バッテリを報せれば、検査がキャンセルされたときや患者が遅刻したとき等の空き時間にバッテリの交換を済ませることができ好適である。
【００８９】
なお、予備バッテリ２６が一つであった場合は、そのバッテリ残量Ｒが消費電力量の積算値と閾値Ｔの加算値以上となったとき、直ちにメッセージウィンドウ１００ａを表示させればよい。
【００９０】
特に病院の検査においては、放射線技師や患者の動きが複雑であり、また病院によってその動線が異なる。このため、上述した患者の遅刻を含め、これらの人の動きをシステムで予測することは困難であり、従って最適なバッテリ交換のタイミングをシステムで判断することは難しい。しかし、上記のように、予備バッテリのバッテリ残量Ｒが消費電力量Ｐと閾値Ｔの加算値以上になったタイミングで、即座に交換可能である旨を放射線技師に報せれば、放射線技師がその後の検査の状況を鑑みつつ、空き時間を見繕ってバッテリの交換を行うことができる。つまりバッテリを交換する機会を最多にすることができ、利便性が非常に高い。
【００９１】
また、図１１（Ａ）のメッセージウィンドウ１００ａを表示した状態で、検査オーダがさらに追加されてオーダリストが更新されたとき等に、再度予備バッテリのバッテリ残量Ｒが消費電力量Ｐと閾値Ｔの加算値以上であるか否かを判定し、加算値よりも下であった場合はメッセージウィンドウ１００ａを消去してもよい。こうすることで放射線技師が誤ってバッテリを交換するといった誤判断を防止することができ、利便性をさらに向上させることができる。
【００９２】
さらに、交換可能な予備バッテリを報せる場合には、図１０のワークリスト確認ウィンドウ９５の端にメッセージを表示してもよい。予備バッテリの数が多い場合は頻繁にメッセージが表示される可能性があるため、端に表示することで作業の妨げとなることを防ぐことができる。
【００９３】
メッセージウィンドウ１００ａの表示タイミングとしては、バッテリ交換時期前の、患者毎の検査終了直後であることが好ましい。検査終了直後にメッセージウィンドウ１００ａを表示すれば、メッセージウィンドウ１００ａのメッセージに従ってバッテリを交換する場合、次の患者の検査までの空き時間を最大限利用することができる。
【００９４】
交換可能バッテリを報せるときに、交換可能バッテリの交換時期も併せて報せてもよい。例えば図１１（Ｂ）に示すように、「バッテリＩＤ：００１への交換をお勧めします」のメッセージに続けて、「検査順１０まで使用可能です」といったメッセージが記されたメッセージウィンドウ１００ｂをディスプレイ６４にポップアップ表示する。
【００９５】
この場合、コンソール１６からＲＩＳ１１に各患者の検査の消費電力量ｐを送信し、消費電力量ｐの積算値Ｐと交換可能バッテリの現在のバッテリ残量Ｒの差分Δが、閾値Ｔ以下となる検査を割り出す。そして、割り出した検査の一つ前の検査を交換可能バッテリの交換時期として表示する。こうすれば、交換可能バッテリに交換した後の検査の計画が立てやすくなり、円滑に検査を遂行することができる。なお、現在使用中のバッテリの交換時期以前に交換可能バッテリを報せる場合を例示したが、図１０で例示した現在使用中のバッテリの交換時期に交換可能バッテリを報せる場合も同様に交換可能バッテリの交換時期を報せてもよい。
【００９６】
現在使用中のバッテリの交換時期以前に交換可能バッテリやその交換時期を報せる場合は、交換時期までに交換可能バッテリの充電が進むため、交換時期における交換可能バッテリの残量を予測して上記選択や判定を行ってもよい。この際、バッテリの劣化度によって充電特性が変わるので、バッテリの劣化度を加味して残量を予測することが好ましい。
【００９７】
クレードル１７に装填された予備バッテリ２６の残量Ｒが足りず、交換可能バッテリがない場合は、図１２に示すように、例えば「カセッテを有線通信に切り替えて使用してください」といったメッセージが記されたメッセージウィンドウ１０５をディスプレイ６４にポップアップ表示する。こうすれば、残量Ｒが足りないバッテリ２６に交換してしまうことを回避することができ、速やかに有線通信に移行させることができる。
【００９８】
上記第二実施形態では、現在使用中のバッテリのバッテリ残量が全検査オーダの検査を賄えなくなったときに、予備バッテリのバッテリ残量と消費電力量を参照してバッテリ交換可能な時期を報せているが、現在使用中のバッテリのバッテリ残量に依らず、予備バッテリのバッテリ残量と消費電力量のみを元にしてバッテリ交換可能な時期を報せてもよい。具体的には、予備バッテリのバッテリ残量が消費電力量と閾値の加算値以上となったときに、現在使用中のバッテリに依らず直ちにメッセージウィンドウ１００ａを表示する。こうすれば第二実施形態以上にバッテリ交換の機会を多くすることができ、利便性がさらに高まる。
【００９９】
なお、Ｘ線画像撮影装置が複数設置されている場合、各装置のカセッテで現在使用中のバッテリの残量に基づいて、検査中にバッテリ残量不足とならないようＲＩＳから各装置のコンソールに検査オーダを振り分けてもよい。より詳しくは、バッテリ残量Ｒと消費電力量Ｐの差分Δと閾値Ｔの減算値に略一致する消費電力量ｐの検査の検査オーダ２０を振り分ける。言い換えれば、各検査の消費電力量ｐを積算したときに、差分Δが閾値Ｔに略一致するよう検査オーダ２０を振り分ける。
【０１００】
上記各実施形態では、バッテリをカセッテから取り外し可能とし、クレードルにバッテリを装填する例を示したが、バッテリを取り外さずにカセッテ毎クレードルに装填してバッテリの充電が可能な構成としてもよい。
【０１０１】
上記各実施形態では、コンソールのＣＰＵに消費電力量算出部、残量算出部、および判定部を構築しているが、本発明はこれに限定されず、ＲＩＳにこれらの機能部を設けてもよいし、コンソール、ＲＩＳ以外の専用のバッテリ管理装置を設けてもよい。また、カセッテからバッテリの放電電圧の情報をコンソールに送信し、コンソール側でバッテリの残量を検出してもよい。さらに、コンソールとクレードルをＬＡＮで繋げているが、コンソールに直接クレードルを接続してもよい。本発明の主旨を逸脱しない範囲で、各装置、システムのネットワークの構成を適宜変更することが可能である。
【符号の説明】
【０１０２】
２  Ｘ線画像撮影装置
１０  医事情報システム（ＨＩＳ）
１１  放射線科情報システム（ＲＩＳ）
１４  カセッテ
１６  コンソール
１７  クレードル
２０  検査オーダ
２６  バッテリ
５０  カセッテ制御部
５３  通信制御部
５５  残量検出部
６０  ＣＰＵ
６２  ストレージデバイス
６４  ディスプレイ
７０  消費電力量算出部
７１  残量算出部
７２  判定部
８０、９５  ワークリスト確認ウィンドウ
８１、９６  メッセージ表示部
９０  バッテリ情報
１００ａ、１００ｂ、１０５  メッセージウィンドウ
【図１】
2011200427.tif 000003
【図２】
2011200427.tif 000004
【図３】
2011200427.tif 000005
【図４】
2011200427.tif 000006
【図５】
2011200427.tif 000007
【図６】
2011200427.tif 000008
【図７】
2011200427.tif 000009
【図８】
2011200427.tif 000010
【図９】
2011200427.tif 000011
【図１０】
2011200427.tif 000012
【図１１】
2011200427.tif 000013
【図１２】
2011200427.tif 000014